(57)【特許請求の範囲】
【請求項１】
浴室の天井に取り付けられ、前記浴室内の空気を屋外へ排出させる換気運転及び前記浴室内の空気を加熱して前記浴室内に循環させる暖房運転を行う多機能乾燥装置であって、
前記浴室内から空気を吸い込む吸い込み口と、
前記浴室内に空気を吹き出す吹き出し口と、
前記吸い込み口から空気を吸引し、吸引した空気を前記吹き出し口から吹き出させるための循環用送風機と、
前記吹き出し口から吹き出す空気を加熱するヒータと、
温水供給路から供給された温水を吐出部から前記浴室内にミスト状に噴霧させる加圧ポンプと、
操作入力受付部と、を備え、
前記操作入力受付部からの温水ミスト運転の操作入力に基づいて、前記浴室内の温度が上昇するように、前記循環用送風機及び前記ヒータを駆動して暖房運転を行い、その後前記加圧ポンプを駆動して、前記浴室の天井から浴室内へ向かう方向へミスト状の温水を噴霧させる噴霧運転を行うよう構成されていることを特徴とする多機能乾燥装置。
【請求項２】
前記浴室内の温度を検知する温度検知手段を、さらに備え、
前記噴霧運転の場合、前記温度検知手段により検知された前記浴室内の温度が所定温度になるまで、前記暖房運転を行うことを特徴とする請求項１記載の多機能乾燥装置。
【発明の詳細な説明】
【０００１】
【発明の属する技術分野】
本発明は、浴室内の空気を換気したり、浴室内を暖房、乾燥する多機能乾燥装置に係り、特に各種の機能を備えた多機能乾燥装置に関する。
【０００２】
【従来の技術】
従来、各種の機能を備えた浴室ユニットとして例えば特開平３−２０２５６３号に記載されているものが知られている。
【０００３】
このものは、内部にユニット空間を有して出入り口を形成したユニット本体に、乾燥装置や蒸気供給装置、リラックス用機器等を備えて、同一空間内で、入浴、シャワー、サウナ、瞑想等を行うことができるようにしたものである。
【０００４】
【発明が解決しようとする課題】
しかしながら、上記従来のものは、既設の浴室内に発生するカビや雑菌、あるいは身体の垢等の有機汚染物質と、それを培地として繁殖する菌の代謝物によるぬめり等を抑制するものではなかった。
【０００５】
また、１つの浴室ユニットとして構成されているため、既設の浴室には設置できないものであり、コストが高くなるものであった。更に、各種の機能が別体で構成されているため、容易に施工できないという問題があった。
【０００６】
本発明は、上記問題点を解消し、浴室内の清掃が容易に行えるとともに、施工が簡単で安価な多機能乾燥装置を提供することを目的とする。
【０００７】
【課題を解決するための手段およびその作用・効果】
本発明は、浴室内の空気を換気する第１の機能部と、浴室内に温風を供給する第２の機能部と、浴室内に多湿気体又は多湿液体を供給する第３の機能部と、浴室内に制菌性を有する物質を含有する液体を供給する第４の機能部とを有することを特徴としている。
【０００８】
この構成によれば、浴室内に制菌性を有する物質を含有する液体を供給するようにしているので、浴室内に発生するカビや雑菌、あるいは身体の垢等の有機汚染物質と、それを培地として繁殖する菌の代謝物によるぬめり等を抑制することが出来るので、浴室内の清掃が容易に行えるとともに、浴室内の換気、暖房、衣類等の乾燥が出来、且つ、浴室内に多湿気体又は多湿液体を供給するようにしているので、浴室内でサウナ効果を楽しむことが出来る。
【０００９】
また、第１、２の機能部からなる乾燥ユニットと、第３の機能部の多湿気体又は多湿液体の供給路及びその供給路に接続した吐出部からなる第１機能ユニットと、前記第４の機能部の制菌性を有する物質を含有する液体の生成部と生成部に連通した供給路と供給路に接続した吐出部とからなる第２機能ユニットとを一体化しているので、既設の浴室にコンパクトで、施工が容易、且つ安価な多機能乾燥装置を設置することが出来る。
【００１０】
また、第１機能ユニットの供給路と、第２機能ユニットの供給路とを、一部共有した共通路で構成しているので、構造を簡略化でき、更に施工を容易とすることが出来る。
【００１１】
更に、前記共通路に加圧ポンプを配設しているので、加圧ポンプが１つで済み、構造が簡単で安価な多機能乾燥装置を提供することが出来る。
【００１２】
また、第３の機能部は、高温多湿の液体をミスト状に噴霧するので、浴室内を湿潤するミストサウナを得ることが出来る。
【００１３】
また、第４の機能部は、制菌性を有する物質を含有する液体をミスト状に噴霧するので、有機汚染物質やぬめり等を抑制することが出来る。
【００１４】
また、第４の機能部の制菌性を有する物質を含有する液体は、電気分解により得られた制菌成分を含む電気分解水であることを特徴としているので、電気分解水を生成する装置自体を低コストで、且つ、コンパクトに製造することが出来る。
【００１５】
更に、前記第１、２、３及び４の各機能部間に渡る複合シーケンスを有し、前記各機能部を制御する制御手段を設けたので、例えば、浴室内に温風を供給する暖房機能により浴室内を昇温させたのを検知した後、浴室内にミストを供給するミスト機能を実行することができるので、無駄な捨て水をなくし、節水化が図れる。
【００１６】
【発明の実施の形態】
以下に本発明の実施の形態を添付図面に基づいて説明する。
【００１７】
図１は、本発明の多機能乾燥装置が設置された浴室の一実施形態を示す概略構成図である。
【００１８】
図１において、浴室Ａの天板２５の裏面側には、装置本体１が設置されており、その装置本体１内に、浴室Ａ内の空気を換気する第１の機能部２及び浴室Ａ内に温風を供給する第２の機能部３からなる乾燥ユニットＢと、浴室Ａ内に多湿液体を供給する第３の機能部４の供給路６及び吐出部７からなる第１機能ユニットＣと、浴室Ａ内に制菌性を有する物質を含有する液体を供給する第４の機能部５の液体生成部８と供給路９と吐出部７からなる第２機能ユニットＤとが一体化して内蔵されている。
【００１９】
乾燥ユニットＢは、第１の機能部２の換気用送風機１１の駆動により、浴室Ａ内側に開口した吸い込み口（図示せず）から浴室Ａ内の空気を吸い込んで排気ダクト（図示せず）を介して屋外に排出するとともに、第２の機能部３の循環用送風機１２の駆動により、浴室Ａ内から吸い込んだ空気の一部をヒーター１３により加熱して温風とし、浴室Ａ内側に開口した吹き出し口（図示せず）から浴室Ａ内に吹き出すことによって、浴室Ａ内に吊るした衣類等の洗濯物を乾燥するようになっている。
【００２０】
尚、乾燥ユニットＢは、浴室Ａ外等に設置した図示しないリモートコントローラからの指令により上述した衣類等の乾燥運転を行うが、乾燥運転だけでなく、リモートコントローラからの指令により、第１の機能部２の駆動による浴室Ａ内の湿気を含んだ空気の排出のみを行う換気運転や、第２の機能部３の駆動による浴室Ａ内への温風の供給のみを行う暖房運転又はヒーター１３の電源をＯＦＦにして涼風を浴室Ａ内へ供給する涼風運転等を行うことも出来る。
【００２１】
第１機能ユニットＣは、浴室Ａ内に多湿液体を供給する第３の機能部４の供給路６及び吐出部７から構成されており、供給路６には上流側から下流側に順に、一定流量に制御する定流量弁１４と電磁弁等の開閉弁１５と温度検出器１６と加圧ポンプ１７を配設し、その最下流端に吐出部７を設けている。
【００２２】
そして、第３の機能部４を構成する給湯機１８からの適温の温水（約６０°Ｃ）が、給湯管１９を介して供給路６へと流れ、供給路６に設けた加圧ポンプ１７により加圧されて浴室Ａ内へ向けて配設した吐出部７からミスト状に浴室Ａ内に噴霧される。
【００２３】
したがって、使用者は、適温に噴霧された温水ミストによりサウナ気分を味わうことが出来る。
【００２４】
第２機能ユニットＤは、浴室Ａ内に制菌性を有する物質を含有する液体を供給する第４の機能部５の液体生成部８と供給路９と吐出部７から構成されており、給湯管１９と供給路６の分岐部２０からの分岐路２１には、上流側から下流側に順に、電磁弁等の開閉弁１０と液体生成部８が配設され、生成部８に連通した供給路９には、加圧ポンプ１７を配設し、その最下流端に吐出部７を設けている。
【００２５】
また、液体生成部８は、上流に設けた中空糸フィルタ２２とその下流に設けた電解槽２３から構成され、電解槽２３の電気分解により制菌機能を果たす次亜塩素酸水を生成するようになっている。
【００２６】
そして、第４の機能部５を構成する給湯機１８からの温水が、給湯管１９を介して分岐路２１へと流れ、液体生成部８により生成された次亜塩素酸水が、供給路９に設けた加圧ポンプ１７により加圧されて浴室Ａ内へ向けて配設した吐出部７からミスト状に浴室Ａ内に噴霧される。
【００２７】
したがって、浴室Ａ内に噴霧された制菌機能を果たす次亜塩素酸水によって、浴室Ａのタイル壁面２６や床面２７や浴槽２８等に発生するカビや雑菌、あるいは身体の垢等の有機汚染物質と、それを培地として繁殖する菌の代謝物によるぬめり等を抑制することが出来る。
【００２８】
尚、第１機能ユニットＣの供給路６の中途に第２機能ユニットＤの供給路９を接続し、その接続部２９から下流を共通路２４として兼用し、その共通路２４に加圧ポンプ１７を配設するとともに最下流端に吐出部７を設けるようにしている。
【００２９】
このように構成すれば、構造を簡略化でき、更に施工を容易とすることが出来る。
【００３０】
また、図において３０、３０は、ドレンパイプであり、乾燥ユニットＢの運転により発生する結露水等のドレン水や、電解槽２３の電気分解時に発生する処理排水等のドレン水を、浴室Ａの排水部（図示せず）等の適所に排出するようにしている。
【００３１】
また、浴室Ａ内への温水ミストの噴霧や次亜塩素酸水の噴霧は、乾燥ユニットＢの運転と同様に、適所に設けられたリモートコントローラの操作により行われる。
【００３２】
更に、第１の機能部、第２の機能部、第３の機能部、第４の機能部の各機能部を複合シーケンスにより制御する制御手段（図示せず）により、乾燥ユニットＢの運転や温水ミストの噴霧運転や次亜塩素酸水の噴霧運転を、その運転順序を設定して自動的に順に運転が行われるようにしたり（例えば、暖房運転→温水ミストの噴霧運転→次亜塩素酸水の噴霧運転→衣類の乾燥運転等）、運転の優先度を設定してその設定に基づいて運転を行うようにすることも可能である。また、前記した運転順序の設定パターンをいくつか用意しておけば、好みに応じた運転が実行されることになり、使用勝手性が向上する。
【００３３】
図２は、運転の優先度を設定してその設定に基づいて運転を行う動作を示す動作フローチャートであり、この場合は、乾燥運転中は、温水ミストの噴霧運転又は次亜塩素酸水の噴霧運転が操作されても受け付けないようにしたもので、以下にその動作を詳述する。
【００３４】
図２に示すように、温水ミストの操作入力があったか否かを判断し（Ｓ５０）、操作入力があれば、現在、乾燥運転を実行中か否かを判断して（Ｓ５１）、実行中であれば、リモートコントローラは温水ミストの操作入力を受け付けないので（Ｓ５２）、乾燥運転が継続して実行される。そして、乾燥運転が実行中でなければ、温水ミストの噴霧運転が実行される（Ｓ５３）。
【００３５】
また、次亜塩素酸水の操作入力があったか否かを判断し（Ｓ５４）、操作入力があれば、現在、乾燥運転を実行中か否かを判断して（Ｓ５５）、実行中であれば、リモートコントローラは次亜塩素酸水の操作入力を受け付けないので（Ｓ５６）、乾燥運転が継続して実行される。そして、乾燥運転が実行中でなければ、次亜塩素酸水の噴霧運転が実行される（Ｓ５７）。
【００３６】
尚、上述した動作フローと同様にして、温水ミストの噴霧運転や次亜塩素酸水の噴霧運転中に乾燥運転が操作されると乾燥運転を優先して実行させるようにすることもできる。
【００３７】
図３は、各機能部間に渡る複合シーケンスにより制御する制御手段により、各機能部を制御して運転を行う動作を示す動作フローチャートであり、この場合は、第２の機能部を作動させ、浴室Ａ内の温度を検知する室温検知手段（図示せず）により浴室Ａ内の温度が充分に昇温したことを検出すると第２の機能部の作動を停止し、第３の機能部を作動させるようにしたもので、以下にその動作を詳述する。
【００３８】
図３に示すように、第３の機能部である温水ミストの操作入力があったか否かを判断し（Ｓ６０）、操作入力があれば、現在、第２の機能部である暖房運転を実行する（Ｓ６１）。そして、浴室Ａ内の温度が室温検知手段による検出信号により所定温度以上か否かを判断し（Ｓ６２）、所定温度以上であれば、暖房運転を停止して温水ミストの噴霧運転が実行される（Ｓ６３）。
【００３９】
このように、温水ミストの運転操作がなされても、すぐには温水ミストの噴霧運転を実行せずに、浴室Ａ内への暖房運転を行って浴室Ａ内の温度が所定温度に達して充分に昇温してから温水ミストの噴霧運転を行うようにするので、温水ミストの単独運転の場合のように、浴室Ａ内への温水ミストの噴霧により浴室Ａ内の温度が充分に昇温してサウナ気分を味わえるまでに時間がかかって、昇温するまでの温水ミストの捨て水が多くなるというようなことがなく、節水化を図ることができる。
【００４０】
上述した内容はあくまで本発明の一実施形態に関するものであって、本発明が上記内容のみに限定されることを意味されるものでない。例えば、次亜塩素酸水を噴霧するようにしたが、これに限らず、酸性水等、制菌機能を果たすものであればよい。
【００４１】
また、次亜塩素酸水の噴霧は、給湯機１８からの温水を利用するようにしたが、これに限らず、水道管からの水を利用するようにしてもよい。
【００４２】
更に、第１機能ユニットＣの供給路６及び吐出部７と第２機能ユニットＤの供給路９及び吐出部７を兼用しているが、夫々単独の供給路と吐出部を設けるようにしてもよい。
【００４３】
また、浴室Ａ内への温水ミストの噴霧を加圧ポンプ１７と吐出部７によりミスト化して噴霧するようにしたが、これに限らず、回転円板の遠心力や超音波振動等を利用してミスト化して噴霧するようにしてもよい。
【００４４】
また、温水ミストを噴霧するようにしたが、蒸気発生手段を設けてスチームを吐出するようにしてもよい。
【００４５】
更に、本実施の形態では、装置本体１は、浴室Ａの天板２５の裏面に設置した例を示したが、浴室Ａ内のタイル壁面２６に設置するようにしてもよい。
【図面の簡単な説明】
【図１】本発明の多機能乾燥装置が設置された浴室の一実施形態を示す概略構成図である。
【図２】運転の優先度を設定してその設定に基づいて運転を行う動作を示す動作フローチャートである。
【図３】運転の優先度を設定してその設定に基づいて運転を行う動作を示す動作フローチャートである。
【図４】各機能部間に渡る複合シーケンスにより制御する制御手段により、各機能部を制御して運転を行う動作を示す動作フローチャートである。
【符号の説明】
Ａ…浴室
Ｂ…乾燥ユニット
Ｃ…第１機能ユニット
Ｄ…第２機能ユニット
１…装置本体
２…第１の機能部
３…第２の機能部
４…第３の機能部
５…第４の機能部
６…供給路
７…吐出部
８…液体生成部
９…供給路
１０…開閉弁
１１…換気用送風機
１２…循環用送風機
１３…ヒーター
１４…定流量弁
１５…開閉弁
１６…温度検出器
１７…加圧ポンプ
１８…給湯機
１９…給湯管
２０…分岐部
２１…分岐路
２２…中空糸フィルタ
２３…電解槽
２４…共通路
２５…天板
２６…タイル壁面
２７…床面
２８…浴槽
２９…接続部
３０…ドレンパイプ
【図１】
0003806919.tif 000002
【図２】
0003806919.tif 000003
【図３】
0003806919.tif 000004
【図４】
0003806919.tif 000005